(57)【特許請求の範囲】
【請求項１】
無線通信システムにおいて複数のセルから構成されるＵＥ（Ｕｓｅｒ  Ｅｑｕｉｐｍｅｎｔ）の動作方法であって、
前記複数のセルの中の第１のセル上で活性化／非活性化媒体接近制御制御要素（Ａ／Ｄ  ＭＡＣ  ＣＥ）を受信する段階であって、前記第１のセルは予め活性化され、前記Ａ／Ｄ  ＭＡＣ  ＣＥのＣｉフィールドの値の全てが、基地局により同じ値に設定される、段階と、
前記同じ値にしたがって特定のセルの活性化又は非活性化を行う段階とを含み、
前記ＵＥが、前記Ａ／Ｄ  ＭＡＣ  ＣＥを含むＭＡＣ  プロトコールデータユニット（ＰＤＵ）が第２のセルを介して送信されることを示すＰＤＣＣＨ（Ｐｈｙｓｉｃａｌ  Ｄｏｗｎｌｉｎｋ  Ｃｏｎｔｒｏｌ  Ｃｈａｎｎｅｌ）を受信する場合、前記特定のセルは前記第２のセルに対応し、他の場合には、前記特定のセルは前記第１のセルに対応し、前記第２のセルは、前記複数のセルの中で前記第１のセルと異なる、方法。
【請求項２】
前記ＵＥは、前記同じ値が“１”である場合、前記特定のセルを活性化し、前記同じ値が“０”である場合、前記特定のセルを非活性化する、請求項１に記載の方法。
【請求項３】
前記ＵＥは、前記第２のセルを介して前記Ａ／Ｄ  ＭＡＣ  ＣＥ含む前記ＭＡＣ  ＰＤＵが送信されることを示す前記ＰＤＣＣＨを受信する場合、前記Ａ／Ｄ  ＭＡＣ  ＣＥは前記第２のセルで受信されるとみなす、請求項１に記載の方法。
【請求項４】
前記第１のセルは前記複数のセルの中の前記第２のセルをスケジュールするためのセルに対応する、請求項３に記載の方法。
【請求項５】
前記ＵＥは、前記ＵＥが前記特定のセルを活性化又は非活性化の指示を受信する場合、前記同じ値にしたがって前記特定のセルの活性化又は非活性化を行う、請求項１に記載の方法。
【請求項６】
前記ＵＥは、前記複数のセルの個数が特定値以上である場合、前記同じ値にしたがって前記特定のセルの活性化又は非活性化を行う、請求項１に記載の方法。
【請求項７】
前記ＵＥは、前記複数のセルが特定値以上のセルインデックスを有するセルを含む場合、前記同じ値にしたがって前記特定のセルの活性化又は非活性化を行う、請求項１に記載の方法。
【請求項８】
前記ＵＥは、前記複数のセルのセルインデックスの中の最大のセルインデックスが特定値以上である場合、前記同じ値にしたがって前記特定のセルの活性化又は非活性化を行う、請求項１に記載の方法。
【請求項９】
無線通信システムで動作するためのＵＥであって、
ＲＦ（Ｒａｄｉｏ  ｆｒｅｑｕｅｎｃｙ）モジュールと、
前記ＲＦモジュールと動作可能に連結されるプロセッサとを含み、
前記プロセッサは、複数のセルの中の第１のセル上で活性化／非活性化媒体接近制御制御要素（Ａ／Ｄ  ＭＡＣ  ＣＥ）を受信し、前記第１のセルは予め活性化され、前記Ａ／Ｄ  ＭＡＣ  ＣＥのＣｉフィールドの値の全ては基地局により同じ値に設定され、
前記同じ値にしたがって特定のセルの活性化又は非活性化を行うように構成され、
前記ＵＥが、前記Ａ／Ｄ  ＭＡＣ  ＣＥを含むＭＡＣ  プロトコールデータユニット（ＰＤＵ）が第２のセルを介して送信されることを示すＰＤＣＣＨ（Ｐｈｙｓｉｃａｌ  Ｄｏｗｎｌｉｎｋ  Ｃｏｎｔｒｏｌ  Ｃｈａｎｎｅｌ）を受信する場合、前記特定のセルは前記第２のセルに対応し、他の場合には、前記特定のセルは前記第１のセルに対応し、前記第２のセルは、前記複数のセルの中で前記第１のセルと異なる、ＵＥ。
【請求項１０】
前記ＵＥは、前記同じ値が“１”である場合、前記特定のセルを活性化し、前記同じ値が“０”である場合、前記特定のセルを非活性化する、請求項９に記載のＵＥ。
【請求項１１】
前記ＵＥは、前記第２のセルを介して前記Ａ／Ｄ  ＭＡＣ  ＣＥを含む前記ＭＡＣ  ＰＤＵが送信されることを示す前記ＰＤＣＣＨを受信する場合、前記Ａ／Ｄ  ＭＡＣ  ＣＥは前記第２のセルで受信されるとみなす、請求項９に記載のＵＥ。
【請求項１２】
前記第１のセルは、前記複数のセルの中の前記第２のセルをスケジュールするためのセルに対応する、請求項１１に記載のＵＥ。
【請求項１３】
前記ＵＥは、前記ＵＥが前記特定のセルの活性化又は非活性化のための指示を受信する場合、前記同じ値にしたがって前記特定のセルの活性化又は非活性化を行う、請求項９に記載のＵＥ。
【請求項１４】
前記ＵＥは、前記複数のセルの個数が特定値以上である場合、前記同じ値にしたがって前記特定のセルの活性化又は非活性化を行う、請求項９に記載のＵＥ。
【請求項１５】
前記ＵＥは、前記複数のセルが特定値以上のセルインデックスを有するセルを含む場合、前記同じ値にしたがって前記特定のセルの活性化又は非活性化を行う、請求項９に記載のＵＥ。
【請求項１６】
前記ＵＥは、前記複数のセルのセルインデックスの中の最大のセルインデックスが特定値以上である場合、前記同じ値によって前記特定のセルの活性化又は非活性化を行う、請求項９に記載のＵＥ。
【発明の詳細な説明】
【技術分野】
【０００１】
本発明は無線通信システムに関するものであり、特に無線通信システムにおいてセルを活性化又は非活性化するための方法及びそのための装置に関するものである。
【背景技術】
【０００２】
本発明を適用できる無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という）通信システムについて概略的に説明する。
【０００３】
図１は、無線通信システムの一例として、Ｅ―ＵＭＴＳ網の構造を概略的に示した図である。Ｅ―ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進化したシステムであって、現在、３ＧＰＰで基礎的な標準化作業を進めている。一般に、Ｅ―ＵＭＴＳは、ＬＴＥ（Ｌｏｎｇ  Ｔｅｒｍ  Ｅｖｏｌｕｔｉｏｎ）システムと称することもできる。ＵＭＴＳ及びＥ―ＵＭＴＳの技術規格（ｔｅｃｈｎｉｃａｌ  ｓｐｅｃｉｆｉｃａｔｉｏｎ）の詳細な内容は、それぞれ「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７とＲｅｌｅａｓｅ  ８を参照することができる。
【０００４】
図１を参照すると、Ｅ―ＵＭＴＳは、端末（Ｕｓｅｒ  Ｅｑｕｉｐｍｅｎｔ；ＵＥ）、基地局（ｅＮｏｄｅ  Ｂ；ｅＮＢ）、及びネットワーク（Ｅ―ＵＴＲＡＮ）の終端に位置し、外部ネットワークと接続される接続ゲートウェイ（Ａｃｃｅｓｓ  Ｇａｔｅｗａｙ；ＡＧ）を含む。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５Ｍｈｚ、２．５Ｍｈｚ、５Ｍｈｚ、１０Ｍｈｚ、１５Ｍｈｚ、２０Ｍｈｚなどの帯域幅のうち一つに設定され、多くの端末に下りリンク又は上りリンク送信サービスを提供する。互いに異なるセルは、互いに異なる帯域幅を提供するように設定することができる。基地局は、多数の端末に対するデータ送受信を制御する。下りリンク（Ｄｏｗｎｌｉｎｋ；ＤＬ）データに対して、基地局は、下りリンクスケジューリング情報を送信し、該当端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データに対して、基地局は、上りリンクスケジューリング情報を該当端末に送信し、該当端末が使用可能な時間／周波数領域、符号化、データサイズ、ＨＡＲＱ関連情報などを知らせる。各基地局間には、ユーザトラフィック又は制御トラフィックの送信のためのインターフェースを使用することができる。核心網（Ｃｏｒｅ  Ｎｅｔｗｏｒｋ；ＣＮ）は、ＡＧ及び端末のユーザ登録などのためのネットワークノードなどで構成することができる。ＡＧは、複数のセルで構成されるＴＡ（Ｔｒａｃｋｉｎｇ  Ａｒｅａ）単位で端末の移動性を管理する。一つのＴＡは多数のセルを含む。
【０００６】
無線通信技術が広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ（ＷＣＤＭＡ）に基づくＬＴＥに発展して来たが、使用者とサービス提供者の要求と期待はずっと増加している。また、開発中の他の無線接続技術を考慮すると、未来に高い競争力を保障するために新しい技術的な進化が要求される。ビット当たり費用の減少、サービス効用の増加、融通性ある周波数帯域の使用、単純化した構造、オープインターフェース、ＵＥの適切な電力消耗などが要求される。
【発明の概要】
【発明が解決しようとする課題】
【０００７】
前記問題を解決するためになされた本発明の目的は、無線通信システムにおいてセルを活性化又は非活性化するための方法及び装置を提供することである。本発明の課題は以上で言及した課題に制限されず、言及しなかった他の課題は下記の記載から当業者に明確に理解可能であろう。
【課題を解決するための手段】
【０００８】
本発明の目的は特許請求範囲に記載したような無線通信システムで動作する端末（ｕｓｅｒ  ｅｑｕｉｐｍｅｎｔ（ＵＥ））のための方法を提供することによって達成することができる。
【０００９】
本発明の他の態様において、特許請求範囲に記載したような通信装置が提供される。
【００１０】
本発明についての前記説明と以下の詳細な説明は例示的なもので、特許請求範囲に記載したような本発明のより詳細な説明を提供するためのものである。
【発明の効果】
【００１１】
セルの活性化又は非活性化に関するシグナリングオーバーヘッドを減少させるため、ＵＥがセル上でＡ／Ｄ  ＭＡＣ  ＣＥを受信すれば、前記セルを活性化又は非活性化する。前記ＵＥがセル上でＡ／Ｄ  ＭＡＣ  ＣＥを受信すれば、受信されたＡ／Ｄ  ＭＡＣ  ＣＥのＣｉフィールドの値によってＵＥがＡ／Ｄ  ＭＡＣ  ＣＥを受信するセルを活性化又は非活性化する。
【００１２】
本発明の効果は以上で言及した効果に制限されず、言及しなかった他の効果は請求範囲の記載から当業者に明確に理解可能であろう。
【図面の簡単な説明】
【００１３】
添付図面は本発明の更なる理解のために含まれ、本出願に含まれてその一部を構成する添付図面は本発明の原理を説明する詳細な説明と一緒に本発明の実施例を示す。
【図１】無線通信システムの一例としてのＥ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の網構造を示した図である。
【図２Ａ】Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の網構造を示したブロック図である。
【図２Ｂ】代表的なＥ−ＵＴＲＡＮと代表的なＥＰＣの構造を示したブロック図である。
【図３】３ＧＰＰ（３ｒｄ  ｇｅｎｅｒａｔｉｏｎ  ｐａｒｔｎｅｒｓｈｉｐ  ｐｒｏｊｅｃｔ）無線接続ネットワーク標準に基づくＵＥとＥ−ＵＴＲＡＮ間の無線インターフェースの制御平面と使用者平面を示した図である。
【図４】Ｅ−ＵＭＴＳで使われる物理チャネル構造の一例を示した図である。
【図５】本発明の一実施例による通信装置のブロック図である。
【図６】本開示の実施例で用いられるＬＴＥ−ＡシステムにおけるＣＣとＣＡの一例を示した図である。
【図７】ＵＥ側でのＭＡＣ構造の概要についての図である。
【図８】ＭＡＣヘッダー、ＭＡＣ制御要素、ＭＡＣ  ＳＤＵ及びパッディングから構成されるＭＡＣ  ＰＤＵに対する図である。
【図９Ａ】ＭＡＣ  ＰＤＵサブヘッダー構造の例を示す。
【図９Ｂ】ＭＡＣ  ＰＤＵサブヘッダー構造の例を示す。
【図１０】キャリア集成（ｃａｒｒｉｅｒ  ａｇｇｒｅｇａｔｉｏｎ）システムにおける活性化／非活性化ＭＡＣ制御要素の例を示す。
【図１１】最大で３２個のＣＣに対する活性化／非活性化ＭＡＣ制御要素の例示的なフォーマットを示す。
【図１２】本発明の例示的な実施例によるＳＣｅｌｌの活性化／非活性化に関するＵＥ動作についての概念図である。
【図１３】本発明の例示的な実施例によるＳＣｅｌｌの活性化／非活性化に関するＵＥ動作の一例を示す。
【図１４】本発明の例示的な実施例によるＳＣｅｌｌの活性化／非活性化に関するＵＥ動作の他の例を示す。
【発明を実施するための形態】
【００１４】
ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）は、ヨーロッパシステム、ＧＳＭ（Ｇｌｏｂａｌ  ｓｙｓｔｅｍ  ｆｏｒ  ｍｏｂｉｌｅ  ｃｏｍｍｕｎｉｃａｔｉｏｎ）、及びＧＰＲＳ（Ｇｅｎｅｒａｌ  Ｐａｃｋｅｔ  Ｒａｄｉｏ  Ｓｅｒｖｉｃｅ）に基盤したＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）で動作する３世代（３ｒｄ  Ｇｅｎｅｒａｔｉｏｎ、３Ｇ）非対称移動通信システムである。ＵＭＴＳのＬＴＥ（Ｌｏｎｇ―Ｔｅｒｍ  Ｅｖｏｌｕｔｉｏｎ）は、ＵＭＴＳを規格化する３ＧＰＰによって議論中にある。
【００１５】
３ＧＰＰ  ＬＴＥは、高速パケット通信を可能にする技術である。ユーザ及び提供者の費用を減少させ、サービス品質を改善し、カバレッジ（ｃｏｖｅｒａｇｅ）及びシステム容量を拡張及び改善することを目的とするＬＴＥ課題のための多くの方法が提案された。３Ｇ  ＬＴＥは、上位―レベル要求であって、ビット（ｂｉｔ）当たりの費用減少、増加したサービス可用性、周波数帯域の柔軟性、単純な構造、開放型インターフェース、及び端末の適切な電力消耗を要求する。
【００１６】
以下で、添付の図面を参照して説明した本発明の各実施例により、本発明の構成、作用及び他の特徴が容易に理解され得るだろう。以下で説明する各実施例は、本発明の技術的特徴が３ＧＰＰシステムに適用された各例である。
【００１７】
本明細書は、ＬＴＥシステム及びＬＴＥ―Ａシステムを用いて本発明の各実施例を説明するが、これは例示に過ぎない。したがって、本発明の各実施例は、前記定義に該当するいずれの通信システムにも適用することができる。また、本明細書は、ＦＤＤ方式を基準にして本発明の実施例に対して説明するが、これは例示であって、本発明の実施例は、Ｈ―ＦＤＤ方式又はＴＤＤ方式にも容易に変形して適用することができる。
【００１８】
図２Ａは、Ｅ―ＵＴＲＡＮ（Ｅｖｏｌｖｅｄ―Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）網構造を示すブロック図である。Ｅ―ＵＭＴＳは、ＬＴＥシステムと称することもできる。通信網は、ＩＭＳ及びパケットデータを通じたＶｏＩＰ（Ｖｏｉｃｅ  ｏｖｅｒ  ＩＰ）などの多様なサービスを提供するために広く配置される。
【００１９】
図２Ａに示したように、Ｅ―ＵＭＴＳ網は、Ｅ―ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（Ｅｖｏｌｖｅｄ  Ｐａｃｋｅｔ  Ｃｏｒｅ）、及び一つ以上の端末を含む。Ｅ―ＵＴＲＡＮは、一つ以上のｅＮＢ（ｅｖｏｌｖｅｄ  ＮｏｄｅＢ）２０を含むことができ、複数の端末１０が一つのセルに位置することができる。一つ以上のＥ―ＵＴＲＡＮ  ＭＭＥ（Ｍｏｂｉｌｉｔｙ  Ｍａｎａｇｅｍｅｎｔ  Ｅｎｔｉｔｙ）／ＳＡＥ（Ｓｙｓｔｅｍ  Ａｒｃｈｉｔｅｃｔｕｒｅ  Ｅｖｏｌｕｔｉｏｎ）ゲートウェイ３０は、ネットワークの終端に位置し、外部ネットワークに接続することもできる。
【００２０】
本明細書において、「下りリンク（ｄｏｗｎｌｉｎｋ）」は、ｅＮＢ２０から端末１０への通信を称し、「上りリンク（ｕｐｌｉｎｋ）」は、端末１０からｅＮＢ２０への通信を称する。端末１０は、ユーザによって運搬される通信装備を称し、また、移動局（Ｍｏｂｉｌｅ  Ｓｔａｔｉｏｎ、ＭＳ）、ユーザ端末（Ｕｓｅｒ  Ｔｅｒｍｉｎａｌ、ＵＴ）、加入者ステーション（Ｓｕｂｓｃｒｉｂｅｒ  Ｓｔａｔｉｏｎ、ＳＳ）又は無線デバイスと称することもできる。
【００２１】
図２Ｂは、一般的なＥ―ＵＴＲＡＮと一般的なＥＰＣの構造を示すブロック図である。
【００２２】
図２Ｂに示したように、ｅＮＢ２０は、ユーザ平面及び制御平面のエンドポイント（ｅｎｄ  ｐｏｉｎｔ）を端末１０に提供する。ＭＭＥ／ＳＡＥゲートウェイ３０は、セッション及び移動性管理機能のエンドポイントを端末１０に提供する。ｅＮＢ２０及びＭＭＥ／ＳＡＥゲートウェイ３０は、Ｓ１インターフェースを介して接続することができる。
【００２３】
ｅＮＢ２０は、一般に端末１０と通信する固定局であって、基地局（ＢＳ）又はアクセスポイント（ａｃｃｅｓｓ  ｐｏｉｎｔ）と称することもある。一つのｅＮＢ２０はセルごとに配置することができる。ユーザトラフィック又は制御トラフィックを送信するためのインターフェースをｅＮＢ２０間で使用することができる。
【００２４】
ＭＭＥは、ｅＮＢ２０に対するＮＡＳシグナリング、ＮＡＳシグナリング保安、ＡＳ保安制御、３ＧＰＰ接続ネットワーク間の移動性のためのインター（ｉｎｔｅｒ）ＣＮノードシグナリング、（ページング再送信の制御及び実行を含む）遊休モード（ｉｄｌｅ  ｍｏｄｅ）端末接近性（Ｒｅａｃｈａｂｉｌｉｔｙ）、（遊休モード及び活性モード（ａｃｔｉｖｅ  ｍｏｄｅ）の端末のための）トラッキング領域リスト管理、ＰＤＮ  ＧＷ及びサービングＧＷ選択、ＭＭＥ変化が伴うハンドオーバーのためのＭＭＥ選択、２Ｇ又は３Ｇ  ３ＧＰＰ接続ネットワークへのハンドオーバーのためのＳＧＳＮ選択、ローミング、認証、専用ベアラー設定を含むベアラー管理、（ＥＴＷＳ及びＣＭＡＳを含む）ＰＷＳメッセージ送信のためのサポートを含む多様な機能を行う。ＳＡＥゲートウェイホストは、パー―ユーザ（Ｐｅｒ―ｕｓｅｒ）ベースのパケットフィルタリング（例えば、深層パケット検査を使用）、適法なインターセプション（Ｌａｗｆｕｌ  Ｉｎｔｅｒｃｅｐｔｉｏｎ）、端末  ＩＰアドレス割り当て、下りリンクでの送信（Ｔｒａｎｓｐｏｒｔ）レベルパケットマーキング、ＵＬ及びＤＬサービスレベル課金、ゲーティング及びレート強化、ＡＰＮ―ＡＭＢＲに基づいたＤＬレート強化を含む多様な機能を提供する。ＭＭＥ／ＳＡＥゲートウェイ３０は、明確性のために、本明細書で単純に「ゲートウェイ」と称する。しかし、ＭＭＥ／ＳＡＥゲートウェイ３０は、ＭＭＥ及びＳＡＥゲートウェイの両者を全て含む。
【００２５】
複数のノードは、ｅＮＢ２０とゲートウェイ３０との間でＳ１インターフェースを介して接続することができる。各ｅＮＢ２０は、Ｘ２インターフェースを介して相互接続することができ、各隣接ｅＮＢは、Ｘ２インターフェースを有するメッシュネットワーク構造（ｍｅｓｈｅｄ  ｎｅｔｗｏｒｋ  ｓｔｒｕｃｔｕｒｅ）を有することができる。
【００２６】
図示のように、ｅＮＢ２０は、ゲートウェイ３０に対する選択、無線リソース制御（Ｒａｄｉｏ  Ｒｅｓｏｕｒｃｅ  Ｃｏｎｔｒｏｌ、ＲＲＣ）活性化の間、ゲートウェイに向かうルーティング、ページングメッセージのスケジューリング及び送信、ブロードキャストチャネル（ＢＣＣＨ）情報のスケジューリング及び送信、上りリンク及び下りリンクの全てにおける各端末１０のための動的リソース割当、ｅＮＢ測定の構成及び準備、無線ベアラー制御、無線承認制御（Ｒａｄｉｏ  Ａｄｍｉｓｓｉｏｎ  Ｃｏｎｔｒｏｌ、ＲＡＣ）、及びＬＴＥ＿ＡＣＴＩＶＥ状態での接続移動性制御などの各機能を行うことができる。ＥＰＣにおいて、ゲートウェイ３０は、ページング発信、ＬＴＥ＿ＩＤＬＥ状態管理、ユーザ平面暗号化、システム構造エボリューション（Ｓｙｓｔｅｍ  Ａｒｃｈｉｔｅｃｔｕｒｅ  Ｅｖｏｌｕｔｉｏｎ、ＳＡＥ）ベアラー制御、及び非―接続層（Ｎｏｎ―Ａｃｃｅｓｓ  Ｓｔｒａｔｕｍ、ＮＡＳ）シグナリングの暗号化及び無欠性保護などの各機能を行うことができる。
【００２７】
ＥＰＣは、移動性管理エンティティ（Ｍｏｂｉｌｉｔｙ  Ｍａｎａｇｅｍｅｎｔ  Ｅｎｔｉｔｙ、ＭＭＥ）、サービング―ゲートウェイ（ｓｅｒｖｉｎｇ―ｇａｔｅｗａｙ、Ｓ―ＧＷ）、及びパケットデータネットワーク―ゲートウェイ（Ｐａｃｋｅｔ  Ｄａｔａ  Ｎｅｔｗｏｒｋ―Ｇａｔｅｗａｙ、ＰＤＮ―ＧＷ）を含む。ＭＭＥは、主に各端末の移動性を管理する目的で用いられる接続及び可用性に対する情報を有する。Ｓ―ＧＷは、Ｅ―ＵＴＲＡＮを終端点として有するゲートウェイで、ＰＤＮ―ＧＷは、パケットデータネットワーク（ＰＤＮ）を終端点として有するゲートウェイである。
【００２８】
図３は、３ＧＰＰ無線接続網規格を基盤にした端末とＥ―ＵＴＲＡＮとの間の無線インタフェースプロトコルの制御平面及びユーザ平面の構造を示す図である。制御平面は、端末（Ｕｓｅｒ  Ｅｑｕｉｐｍｅｎｔ；ＵＥ）とネットワークがコールを管理するために用いる各制御メッセージが送信される通路を意味する。ユーザ平面は、アプリケーション層で生成されたデータ、例えば、音声データ又はインターネットパケットデータなどが送信される通路を意味する。
【００２９】
第１層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は、上位にある媒体接続制御（Ｍｅｄｉｕｍ  Ａｃｃｅｓｓ  Ｃｏｎｔｒｏｌ）層とは送信チャネル（Ｔｒａｎｓｐｏｒｔ  Ｃｈａｎｎｅｌ）を介して接続されている。前記送信チャネルを介して媒体接続制御層と物理層との間にデータが移動する。送信側と受信側の物理層間には、物理チャネルを介してデータが移動する。前記物理チャネルは、時間と周波数を無線リソースとして活用する。具体的には、物理チャネルは、下りリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクでＳＣ―ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００３０】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼性のあるデータ送信をサポートする。ＲＬＣ層の機能は、ＭＡＣ内部の機能ブロックで具現することもできる。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰバージョン４（ＩＰ  ｖｅｒｓｉｏｎ  ４、ＩＰｖ４）パケットやＩＰバージョン６（ＩＰｖ６）パケットのようなＩＰ（ｉｎｔｅｒｎｅｔ  ｐｒｏｔｏｃｏｌ）パケットを効率的に送信するために不必要な制御情報を減少させるヘッダー圧縮（Ｈｅａｄｅｒ  Ｃｏｍｐｒｅｓｓｉｏｎ）機能を行う。
【００３１】
第３層の最下部に位置した無線リソース制御（Ｒａｄｉｏ  Ｒｅｓｏｕｒｃｅ  Ｃｏｎｔｒｏｌ；ＲＲＣ）層は、制御平面のみで定義される。ＲＲＣ層は、各無線ベアラ（Ｒａｄｉｏ  Ｂｅａｒｅｒ；ＲＢ）の設定（Ｃｏｎｆｉｇｕｒａｔｉｏｎ）、再設定（Ｒｅ―ｃｏｎｆｉｇｕｒａｔｉｏｎ）及び解除（Ｒｅｌｅａｓｅ）と関連して論理チャネル、送信チャネル及び物理チャネルの制御を担当する。ＲＢは、端末とネットワークとの間のデータ伝達のために第２層によって提供されるサービスを意味する。このために、端末とネットワークのＲＲＣ層は、互いにＲＲＣメッセージを交換する。
【００３２】
ｅＮＢの一つのセルは、１．２５ＭＨｚ、２．５ＭＨｚ、５ＭＨｚ、１０ＭＨｚ、１５ＭＨｚ及び２０ＭＨｚなどの各帯域のうち一つで動作するように設定することができ、帯域で下りリンク又は上りリンク送信サービスを提供するように設定することができる。異なる各セルは、異なる各帯域を提供するように設定することもできる。
【００３３】
Ｅ―ＵＴＲＡＮから端末への送信のための下りリンク送信チャネル（Ｄｏｗｎｌｉｎｋ  ｔｒａｎｓｐｏｒｔ  Ｃｈａｎｎｅｌ）は、システム情報を送信するＢＣＨ（Ｂｒｏａｄｃａｓｔ  Ｃｈａｎｎｅｌ）、各ページングメッセージを送信するＰＣＨ（Ｐａｇｉｎｇ  Ｃｈａｎｎｅｌ）、及びユーザトラフィック又は各制御メッセージを送信するための下りリンク共有チャネル（Ｓｈａｒｅｄ  Ｃｈａｎｎｅｌ、ＳＣＨ）を含む。下りリンクマルチキャスト又はブロードキャストサービスのトラフィック又は制御メッセージの場合、下りリンクＳＣＨを介して送信することもでき、又は別途の下りリンクＭＣＨ（Ｍｕｌｔｉｃａｓｔ  Ｃｈａｎｎｅｌ）を介して送信することもできる。
【００３４】
端末からネットワークにデータを送信する上りリンク送信チャネルとしては、初期制御メッセージを送信するＲＡＣＨ（Ｒａｎｄｏｍ  Ａｃｃｅｓｓ  Ｃｈａｎｎｅｌ）と、その他にユーザトラフィックや制御メッセージを送信する上りリンクＳＣＨ（Ｓｈａｒｅｄ  Ｃｈａｎｎｅｌ）とがある。送信チャネルの上位にあり、送信チャネルにマップされる論理チャネルとしては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、及びＭＴＣＨ（Ｍｕｌｔｉｃａｓｔ  Ｔｒａｆｆｉｃ  Ｃｈａｎｎｅｌ）などがある。
【００３５】
図４は、Ｅ―ＵＭＴＳシステムで使用する物理チャネル構造の一例を示した図である。物理チャネルは、時間軸上にある多数のサブフレームと、周波数軸上にある多数のサブキャリア（Ｓｕｂ―ｃａｒｒｉｅｒ）とで構成される。ここで、一つのサブフレーム（Ｓｕｂ―ｆｒａｍｅ）は、時間軸上に複数のシンボル（Ｓｙｍｂｏｌ）で構成される。一つのサブフレームは、複数のリソースブロック（Ｒｅｓｏｕｒｃｅ  Ｂｌｏｃｋ）で構成され、一つのリソースブロックは、複数のシンボル及び複数のサブキャリアで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、すなわち、Ｌ１／Ｌ２制御チャネルのために該当サブフレームの特定シンボル（例えば、１番目のシンボル）の特定サブキャリアを用いることができる。図４には、Ｌ１／Ｌ２制御情報送信領域（ＰＤＣＣＨ）とデータ領域（ＰＤＳＣＨ）を示した。一実施例において、１０ｍｓの無線フレーム（ｒａｄｉｏ  ｆｒａｍｅ）が使用され、一つの無線フレームは１０個のサブフレーム（ｓｕｂｆｒａｍｅ）で構成される。また、一つのサブフレームは二つの連続するスロットで構成される。一つのスロットの長さは０．５ｍｓである。また、一つのサブフレームは多数のＯＦＤＭシンボルで構成され、多数のＯＦＤＭシンボルのうち一部のシンボル（例えば、１番目のシンボル）は、Ｌ１／Ｌ２制御情報を送信するために使用することができる。データ送信のための時間単位である送信時間間隔（Ｔｒａｎｓｍｉｓｓｉｏｎ  Ｔｉｍｅ  Ｉｎｔｅｒｖａｌ、ＴＴＩ）は１ｍｓである。
【００３６】
基地局と端末は、一般に特定制御信号又は特定サービスデータを除いては、送信チャネルであるＤＬ―ＳＣＨを用いる物理チャネルであるＰＤＳＣＨを介してデータを送信／受信する。ＰＤＳＣＨのデータがいずれの端末（一つ又は複数の端末）に送信されるもので、前記各端末がどのようにＰＤＳＣＨデータを受信してデコード（ｄｅｃｏｄｉｎｇ）しなければならないのかに対する情報などは、ＰＤＣＣＨに含まれて送信される。
【００３７】
例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスク（ｍａｓｋｉｎｇ）されており、「Ｂ」という無線リソース（例えば、周波数位置）及び「Ｃ」という送信形式情報（例えば、送信ブロックサイズ、変調方式、コーディング情報など）を用いて送信されるデータに関する情報が特定サブフレームを介して送信されると仮定する。この場合、セル内の端末は、自身が有しているＲＮＴＩ情報を用いてＰＤＣＣＨをモニターし、「Ａ」ＲＮＴＩを有している一つ以上の端末があると、前記各端末はＰＤＣＣＨを受信し、受信したＰＤＣＣＨの情報を介して「Ｂ」と「Ｃ」によって指示されるＰＤＳＣＨを受信する。
【００３８】
図５は、本発明の実施例に係る通信装置のブロック図である。
【００３９】
図５に示された装置は、上述したメカニズムを行うように適応されたユーザ装置（Ｕｓｅｒ  Ｅｑｕｉｐｍｅｎｔ、ＵＥ）及び／又はｅＮＢであってもよいが、同じ作業を行う任意の装置であってもよい。
【００４０】
図５に示したように、装置は、ＤＳＰ（Ｄｉｇｉｔａｌ  Ｓｉｇｎａｌ  Ｐｒｏｃｅｓｓｏｒ）／マイクロプロセッサ１１０及びＲＦ（Ｒａｄｉｏ  Ｆｒｅｑｕｅｎｃｙ）モジュール（送受信機；１３５）を含むこともできる。ＤＳＰ／マイクロプロセッサ１１０は、送受信機１３５に電気的に接続されて送受信機１３５を制御する。装置は、設計者の選択によって、電力管理モジュール１０５、バッテリー１５５、ディスプレイ１１５、キーパッド１２０、ＳＩＭカード１２５、メモリデバイス１３０、スピーカー１４５及び入力デバイス１５０をさらに含むこともできる。
【００４１】
特に、図５は、ネットワークから要求メッセージを受信するように構成された受信機１３５及びネットワークに送／受信タイミング情報を送信するように構成された送信機１３５を含む端末を示してもよい。このような受信機と送信機は送受信機１３５を構成できる。端末は、送受信機（受信機及び送信機、１３５）に接続されたプロセッサ１１０をさらに含むこともできる。
【００４２】
また、図５は、端末に要求メッセージを送信するように構成された送信機１３５及び端末から送受信タイミング情報を受信するように構成された受信機１３５を含むネットワーク装置を示してもよい。送信機及び受信機は送受信機１３５を構成することもできる。ネットワークは、送信機及び受信機に接続されたプロセッサ１１０をさらに含む。このプロセッサ１１０は、送受信タイミング情報に基づいて遅延（ｌａｔｅｎｃｙ）を計算することもできる。
【００４３】
図６は本開示の実施例で使われるＬＴＥ−ＡシステムにおけるＣＣとＣＡの例を示す。
【００４４】
３ＧＰＰ  ＬＴＥシステム（以下、ＬＴＥシステムと言う）は一つのコンポーネントキャリア（ｃｏｍｐｏｎｅｎｔ  ｃａｒｒｉｅｒ（ＣＣ））が多数のバンドに分割されるマルチキャリア変調（ｍｕｌｔｉ−ｃａｒｒｉｅｒ  ｍｏｄｕｌａｔｉｏｎ）を用いる。これと対照的に、３ＧＰＰ  ＬＴＥ−Ａシステム（以下、ＬＴＥ−Ａシステムと言う）は一つ以上のＣＣを合わせてＬＴＥシステムより広いシステム帯域幅を支援するＣＡを使うことができる。ＣＡという用語はキャリア結合（ｃａｒｒｉｅｒ  ｃｏｍｂｉｎｉｎｇ）、マルチＣＣ環境（ｍｕｌｔｉ−ＣＣ  ｅｎｖｉｒｏｎｍｅｎｔ）又はマルチキャリア環境（ｍｕｌｔｉ−ｃａｒｒｉｅｒ  ｅｎｖｉｒｏｎｍｅｎｔ）と互換可能である。
【００４５】
本開示において、マルチキャリアはＣＡ（又はキャリア結合）を意味する。ここで、ＣＡは隣接したキャリアの集成及び非隣接キャリアの集成を含む。集成されたＣＣの個数はＤＬとＵＬに対して違い得る。ＤＬ  ＣＣの個数がＵＬ  ＣＣの個数と同一である場合、これを対称的な集成（ｓｙｍｍｅｔｒｉｃ  ａｇｇｒｅｇａｔｉｏｎ）と言う。ＤＬ  ＣＣの個数がＵＬ  ＣＣの個数と違う場合、これを非対称的な集成（ａｓｙｍｍｅｔｒｉｃ  ａｇｇｒｅｇａｔｉｏｎ）と言う。ＣＡという用語はキャリア結合、帯域集成、スペクトラム集成と互換可能である。
【００４６】
ＬＴＥ−Ａシステムは二つ以上のＣＣを集成して、すなわちＣＡによって最大で１００ＭＨｚの帯域幅を支援することを目標とする。レガシー（ｌｅｇａｃｙ）ＩＭＴシステムとの下位互換性（ｂａｃｋｗａｒｄ  ｃｏｍｐａｔｉｂｉｌｉｔｙ）を保障するため、ターゲット帯域幅より狭い帯域幅を有するそれぞれのキャリアはレガシーシステムで使われる帯域幅に制限されることもできる。
【００４７】
例えば、レガシー３ＧＰＰ  ＬＴＥシステムは帯域幅｛１．４、３、５、１０、１５、２０ＭＨｚ｝を支援し、３ＧＰＰ  ＬＴＥ−ＡシステムはこのようなＬＴＥ帯域幅を用いて２０ＭＨｚより広い帯域幅を支援することができる。本開示のＣＡシステムはレガシーシステムで使われる帯域幅と関係なく新しい帯域幅を定義することによってＣＡを支援することができる。
【００４８】
帯域内ＣＡ（ｉｎｔｒａ−ｂａｎｄ  ＣＡ）と帯域間ＣＡ（ｉｎｔｅｒ−ｂａｎｄ  ＣＡ）の二つのタイプのＣＡがある。帯域内ＣＡは多数のＤＬ  ＣＣ及び／又はＵＬ  ＣＣらが周波数上で連続するとか隣り合うことを意味する。言い替えれば、ＤＬ  ＣＣ及び／又はＵＬ  ＣＣのキャリア周波数が同じ帯域に位置する。一方、ＣＣが周波数上で離れて位置する環境を帯域間ＣＡと言える。言い替えれば、多数のＤＬ  ＣＣ及び／又はＵＬ  ＣＣのキャリア周波数が互いに異なる帯域に位置する。この場合、ＵＥは多数のＲＦ（ｒａｄｉｏ  ｆｒｅｑｕｅｎｃｙ）端を用いてＣＡ環境で通信を行うことができる。
【００４９】
ＬＴＥ−Ａシステムは無線リソースを管理するためにセルの概念を採択する。上述したＣＡ環境はマルチセル環境と指称することもできる。ＵＬリソースが必須ではないが、セルはＤＬ  ＣＣとＵＬ  ＣＣの対と定義される。したがって、セルはＤＬリソースのみで構成されるとかＤＬ及びＵＬリソースで構成されることができる。
【００５０】
例えば、一つのサービングセルが特定のＵＥに対して構成されれば、ＵＥは一つのＤＬ  ＣＣと一つのＵＬ  ＣＣを有することができる。二つ以上のサービングセルがＵＥに対して構成されれば、ＵＥはサービングセルの個数だけのＤＬ  ＣＣとサービングセルの個数より少ないＵＬ  ＣＣを有することができ、その逆も同様である。すなわち、多数のサービングセルがＵＥに対して構成されれば、ＤＬ  ＣＣより多いＵＬ  ＣＣを用いるＣＡ環境も支援することができる。
【００５１】
ＣＡは相異なるキャリア周波数（中心周波数）を有する二つ以上のセルの集成と見なすこともできる。ここで、“セル”という用語はｅＮＢによってカバーされる地理的な領域としての“セル”とは区分されなければならない。以下、帯域内ＣＡは帯域内マルチセルと指称し、帯域間ＣＡは帯域間マルチセルと指称する。
【００５２】
ＬＴＥ−Ａシステムにおいて、プライマリーセル（ＰＣｅｌｌ）とセカンダリーセル（ＳＣｅｌｌ）が定義される。ＰＣｅｌｌとＳＣｅｌｌはサービングセルとして使われることができる。ＲＲＣ＿ＣＯＮＮＥＣＴＥＤ状態のＵＥに対し、ＣＡが前記ＵＥに対して構成されないとか前記ＵＥがＣＡを支援しなければ、ＰＣｅｌｌのみを含む一つのサービングセルが前記ＵＥのために存在する。反対に、前記ＵＥがＲＲＣ＿ＣＯＮＮＥＣＴＥＤ状態にあり、ＣＡが前記ＵＥに対して構成されれば、ＰＣｅｌｌと一つ以上のＳＣｅｌｌを含む一つ以上のサービングセルが前記ＵＥのために存在することができる。
【００５３】
サービングセル（ＰＣｅｌｌとＳＣｅｌｌ）はＲＲＣパラメーターによって構成されることができる。セルの物理階層ＩＤであるＰｈｙｓＣｅｌｌＩｄは０〜５０３範囲内の整数値である。ＳＣｅｌｌのショート（ｓｈｏｒｔ）ＩＤであるＳＣｅｌｌＩｎｄｅｘは１〜７範囲内の整数値である。サービングセル（ＰＣｅｌｌ又はＳＣｅｌｌ）のショートＩＤであるＳｅｒｖｅＣｅｌｌＩｎｄｅｘｓｍｓは１〜７範囲内の整数値である。ＳｅｒｖｅＣｅｌｌＩｎｄｅｘが０であれば、これはＰＣｅｌｌを示し、ＳＣｅｌｌに対するＳｅｒｖｅＣｅｌｌＩｎｄｅｘの値は前もって割り当てられる。すなわち、ＳｅｒｖｅＣｅｌｌＩｎｄｅｘの最小セルＩＤ（又はセルインデックス）はＰＣｅｌｌを示す。
【００５４】
ＰＣｅｌｌはプライマリー周波数（又はプライマリーＣＣ）で動作するセルを意味する。ＵＥは最初の連結設定又は連結再設定のためにＰＣｅｌｌを使うことができる。ＰＣｅｌｌはハンドオーバーの間に指示されるセルであり得る。また、ＰＣｅｌｌはＣＡ環境で構成されるサービングセルのうち制御と関連した通信を担当するセルである。すなわち、ＵＥに対するＰＵＣＣＨ割当及び送信はＰＣｅｌｌでのみ行われることができる。また、ＵＥは、システム情報を得るとかモニタリング過程を変更するとき、ＰＣｅｌｌのみを用いることができる。Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）はｍｏｂｉｌｉｔｙＣｏｎｔｒｏｌＩｎｆｏを含む上位階層ＲＲＣＣｏｎｎｅｃｔｉｏｎＲｅｃｏｎｆｉｇｕｒａｉｔｏｎメッセージによるＣＡを支援するＵＥへのハンドオーバーのためにＰＣｅｌｌのみを変更することができる。
【００５５】
ＳＣｅｌｌはセカンダリー周波数（又はセカンダリーＣＣ）で動作するセルを意味し得る。特定のＵＥに対してただ一つのＰＣｅｌｌが割り当てられることに対し、一つ以上のＳＣｅｌｌが前記ＵＥに割り当てられることができる。ＳＣｅｌｌはＲＲＣ連結設定後に構成されることができ、追加的な無線リソースを提供するのに用いられることができる。ＣＡ環境で構成されるサービングセルのうちＰＣｅｌｌ以外のセル、すなわちＳＣｅｌｌにはＰＵＣＣＨが存在しない。
【００５６】
Ｅ−ＵＴＲＡＮがＣＡを支援するＵＥにＳＣｅｌｌを追加すれば、Ｅ−ＵＴＲＡＮはＲＲＣ＿ＣＯＮＮＥＣＴＥＤ状態の関連のセルの動作と関連した全てのシステム情報を専用シグナリングによって前記ＵＥに送信することができる。関連のＳＣｅｌｌを解除して付け加えることによってシステム情報の変更を制御することができる。ここで、上位階層ＲＲＣＣｏｎｎｅｃｔｉｏｎＲｅｃｏｎｆｉｇｕｒａｔｉｏｎメッセージが使われることができる。Ｅ−ＵＴＲＡＮは関連のＳＣｅｌｌで放送する代わりにそれぞれのセルに対して違うパラメーターを有する専用信号を送信することができる。
【００５７】
初期の保安活性化過程（ｉｎｉｔｉａｌ  ｓｅｃｕｒｉｔｙ  ａｃｔｉｖａｔｉｏｎ  ｐｒｏｃｅｄｕｒｅ）が始まった後、Ｅ−ＵＴＲＡＮは連結設定過程で最初に構成されるＰＣｅｌｌに一つ以上のＳＣｅｌｌを追加することにより、前記ＳＣｅｌｌを含むネットワークを構成することができる。ＣＡ環境で、ＰＣｅｌｌとＳＣｅｌｌのそれぞれはＣＣとして動作することができる。以下、本開示の実施例において、プライマリーＣＣ（ＰＣＣ）とＰＣｅｌｌは同じ意味として使われ、セカンダリーＣＣ（ＳＣＣ）とＳＣｅｌｌは同じ意味として使われることができる。
【００５８】
図６（ａ）はＬＴＥシステムにおける単一キャリア構造を示すものである。ＤＬ  ＣＣとＵＬ  ＣＣが存在し、一つのＣＣは２０ＭＨｚの周波数を有し得る。
【００５９】
図６（ｂ）はＬＴＥ−ＡシステムにおけるＣＡ構造を示すものである。図６（ｂ）に示した場合、それぞれ２０ＭＨｚの周波数を有する３個のＣＣが集成される。３個のＤＬ  ＣＣと３個のＵＬ  ＣＣが構成されるが、ＤＬ  ＣＣとＵＬ  ＣＣの数は制限されない。ＣＡにおいて、ＵＥは３個のＣＣを同時にモニターし、３個のＣＣでＤＬ信号／ＤＬデータを受信し、３個のＣＣでＵＬ信号／ＵＬデータを送信することができる。
【００６０】
特定のセルがＮ個のＤＬ  ＣＣを管理するならば、ネットワークはＭ個（Ｍ≦Ｎ）のＤＬ  ＣＣをＵＥに割り当てることができる。ＵＥはＭ個のＤＬ  ＣＣのみをモニターし、このＭ個のＤＬ  ＣＣでＤＬ信号を受信することができる。ネットワークはＬ個（Ｌ≦Ｍ≦Ｎ）のＤＬ  ＣＣの優先順位を決定し、主要なＤＬ  ＣＣをＵＥに割り当てることができる。この場合、ＵＥはＬ個のＤＬ  ＣＣをモニターしなければならない。同じ過程がＵＬ送信に適用可能である。
【００６１】
ＤＬリソース（又はＤＬ  ＣＣ）のキャリア周波数とＵＬリソース（又はＵＬ  ＣＣ）のキャリア周波数の間のリンケージ（ｌｉｎｋａｇｅ）をＲＲＣメッセージのような上位階層メッセージ又はシステム情報によって示すことができる。例えば、ＤＬリソースとＵＬリソースのセットをシステム情報ブロックタイプ２（ＳＩＢ２）が示すリンケージ（ｌｉｎｋａｇｅ）に基づいて構成することができる。具体的には、ＤＬ−ＵＬリンケージはＵＬグラント（ＵＬ  ｇｒａｎｔ）と一緒にＰＤＣＣＨを搬送するＤＬ  ＣＣと前記ＵＬグラントを使うＵＬ  ＣＣの間のマッピング関係、又はＨＡＲＱデータを搬送するＤＬ  ＣＣ（又はＵＬ  ＣＣ）とＨＡＲＱＡＣＫ／ＮＡＣＫ信号を搬送するＵＬ  ＣＣ（又はＤＬ  ＣＣ）の間のマッピング関係を意味し得る。
【００６２】
図７はＵＥ側でのＭＡＣ構造の概要についての図である。
【００６３】
ＭＡＣ階層は論理チャネル多重化、ハイブリッドＡＲＱ再送信及び上りリンク及び下りリンクスケジューリングを処理する。また、ＭＡＣ階層は、キャリア集成（ｃａｒｒｉｅｒ  ａｇｇｒｅｇａｔｉｏｎ）が使われる場合、多数のコンポーネントキャリアを介してのデータの多重化／逆多重化を担当する。
【００６４】
一方、ＭＡＣ個体が一つ以上のＳＣｅｌｌで構成されれば、ネットワークは構成されたＳＣｅｌｌを活性化及び非活性化することができる。ＳｐＣｅｌｌはいつも活性化する。ネットワークは活性化／非活性化ＭＡＣ制御要素（ＣＥ）を送信することによってＳＣｅｌｌを活性化／非活性化する。また、ＭＡＣ個体は構成された各ＳＣｅｌｌ別にｓＣｅｌｌＤｅａｃｔｉｖａｔｉｏｎＴｉｍｅｒタイマーを維持し、このタイマーが満了すれば、関連のＳＣｅｌｌを非活性化する。同じ初期タイマー値がｓＣｅｌｌＤｅａｃｔｉｖａｔｉｏｎＴｉｍｅｒのそれぞれのインスタンス（ｉｎｓｔａｎｃｅ）に適用され、これはＲＲＣによって構成される。構成されたＳＣｅｌｌはハンドオーバー以後にそれが加えられれば最初に非活性化する。構成されたＳＣＧＳＣｅｌｌはＳＣＧ変更後に最初に非活性化する。
【００６５】
それぞれのＴＴＩとそれぞれの構成されたＳＣｅｌｌに対し、ＭＡＣ個体がＳＣｅｌｌを活性化するＴＴＩで活性化／非活性化ＭＡＣ制御要素を受信すれば、ＭＡＣ個体はＳＣｅｌｌを活性化し（すなわち、ＳＣｅｌｌ上でのＳＲＳ送信、ＳＣｅｌｌに対するＣＱＩ／ＰＭＩ／ＲＩ／ＰＴＩ報告、ＳＣｅｌｌ上でのＰＤＣＣＨモニタリング、ＳＣｅｌｌに対するＰＤＣＣＨモニタリングを含む一般的なＳＣｅｌｌ動作を適用し）、ＳＣｅｌｌと関連したｓＣｅｌｌＤｅａｃｔｉｖａｔｉｏｎＴｉｍｅｒを開始又は再開し、ＴＴＩでパワーヘッドルームレポート（ＰｏｗｅｒＨｅａｄｒｏｏｍｒｅｐｏｒｔ（ＰＨＲ））をトリガーする。
【００６６】
それぞれのＴＴＩとそれぞれの構成されたＳＣｅｌｌに対し、ＭＡＣ個体がＳＣｅｌｌを非活性化するＴＴＩで活性化／非活性化ＭＡＣ制御要素を受信するか、活性化したＳＣｅｌｌと関連したｓＣｅｌｌＤｅａｃｔｉｖａｔｉｏｎＴｉｍｅｒがこのＴＴＩで満了すれば、ＭＡＣ個体はＳＣｅｌｌを非活性化し、ＳＣｅｌｌと関連したｓＣｅｌｌＤｅａｃｔｉｖａｔｉｏｎＴｉｍｅｒを中止させ、ＳＣｅｌｌと関連した全てのＨＡＲＱバッファーをこのＴＴＩで除去する。
【００６７】
それぞれのＴＴＩとそれぞれの構成されたＳＣｅｌｌに対し、活性化したＳＣｅｌｌ上のＰＤＣＣＨが上りリンクグラント又は下りリンク割当を示すとか活性化したＳＣｅｌｌをスケジュールするサービングセル上のＰＤＣＣＨが上りリンクグラント又は下りリンク割当を示せば、ＭＡＣ個体はＳＣｅｌｌと関連したｓＣｅｌｌＤｅａｃｔｉｖａｔｉｏｎＴｉｍｅｒを再開する。
【００６８】
それぞれのＴＴＩとそれぞれの構成されたＳＣｅｌｌに対し、ＳＣｅｌｌが非活性化すれば、ＭＡＣ個体はＳＣｅｌｌ上でＳＲＳを送信せず、ＳＣｅｌｌに対するＣＱＩ／ＰＭＩ／ＲＩ／ＰＴＩを報告しないし、ＳＣｅｌｌ上でＵＬ−ＳＣＨを送信せず、ＳＣｅｌｌ上でＲＡＣＨを送信しないし、ＳＣｅｌｌ上でＰＤＣＣＨをモニターせず、ＳＣｅｌｌに対するＰＤＣＣＨをモニターしない。
【００６９】
活性化／非活性化ＭＡＣ制御要素を含むＭＡＣ  ＰＤＵに対するＨＡＲＱフィードバックはＳＣｅｌｌ活性化／非活性化によるＰＣｅｌｌインタラプション（ｉｎｔｅｒｒｕｐｔｉｏｎ）によって影響されない。
【００７０】
ＳＣｅｌｌが非活性化すれば、ＳＣｅｌｌ上でラングムアクセス過程が進行中の場合、このラングムアクセス過程が取り消される。
【００７１】
図８はＭＡＣヘッダー、ＭＡＣ制御要素、ＭＡＣ  ＳＤＵ及びパッディングから構成されるＭＡＣ  ＰＤＵについての図である。
【００７２】
優先順位処理（ｐｒｉｏｒｉｔｙ  ｈａｎｄｌｉｎｇ）を支援するため、それぞれが自分のみのＲＬＣ個体を有する多数の論理チャネルがＭＡＣ階層によって一つの送信チャネル（ｔｒａｎｓｐｏｒｔ  ｃｈａｎｎｅｌ）に多重化されることができる。受信器側で、ＭＡＣ階層は該当逆多重化を処理し、インシーケンス伝達（ｉｎ−ｓｅｑｕｅｎｃｅ  ｄｅｌｉｖｅｒｙ）及びＲＬＣによって処理される他の機能のためにＲＬＣ  ＰＤＵをそれぞれのＲＬＣ個体に送信する。受信器での逆多重化を支援するため、図８に示したＭＡＣヘッダーが使われる。
【００７３】
それぞれのＲＬＣ  ＰＤＵに対し、ＭＡＣヘッダー内に関連のサブヘッダーが存在する。このサブヘッダーはＲＬＣ  ＰＤＵが発生した（ｏｒｉｇｉｎａｔｅｄ）論理チャネルのＩＤ（ＬＣＩＤ）とバイト単位のＰＤＵ長さを含む。また、このサブヘッダーが最後のサブヘッダーであるかを示すフラグが含まれる。ＭＡＣヘッダーと一緒に一つ以上のＲＬＣ  ＰＤＵ、そして必要な場合、スケジュールされた送信ブロックのサイズに合うパッディングが一つの送信ブロックを形成し、この送信ブロックは物理階層に送信される。
【００７４】
相異なる論理チャネルの多重化だけではなく、ＭＡＣ階層は送信チャネルを介して送信される送信ブロックに、いわゆるＭＡＣ制御要素を挿入することができる。ＭＡＣ制御要素は、例えばタイミングアドバンス命令及びラングムアクセス応答（ｒｅｓｐｏｎｓｅ）のようなインバンド制御シグナリングのために使われる。ＬＣＩＤ値が制御情報のタイプを示すＬＣＩＤフィールドでの留保した値によって制御要素が識別される。また、固定長の制御要素に対してはサブヘッダー内の長さフィールドが除去される。
【００７５】
ＭＡＣ  ＰＤＵは一つ以上のＭＡＣ  ＰＤＵサブヘッダーから構成され、それぞれのサブヘッダーはＭＡＣ  ＳＤＵ、ＭＡＣ制御要素又はパッディングに対応する。
【００７６】
ＭＡＣ  ＰＤＵサブヘッダーは対応するＭＡＣ  ＳＤＵ、ＭＡＣ制御要素及びパッディングと同一の順序を有する。ＭＡＣ制御要素はいつもＭＡＣ  ＳＤＵの前に位置する。
【００７７】
パッディングは、単一バイト又は２バイトパッディングが要求される場合を除き、ＭＡＣ  ＰＤＵの終りで行われる。パッディングはどの値も有することができ、ＵＥはこれを無視する。パッディングがＭＡＣ  ＰＤＵの終りで行われる場合、０又はそれ以上のパッディングビットが許容される。
【００７８】
単一バイト又は２バイトパッディングが要求される場合、パッディングに対応する一つ又は二つのＭＡＣ  ＰＤＵサブヘッダーが他のＭＡＣ  ＰＤＵサブヘッダーの前のＭＡＣ  ＰＤＵの開始地点に位置する。ＵＥ別に送信ブロック（ＴＢ）当たり最大で一つのＭＡＣ  ＰＤＵが送信されることができる。ＴＴＩ当たり最大で一つのＭＣＨ  ＭＡＣ  ＰＤＵが送信されることができる。
【００７９】
図９Ａ及び図９ＢはＭＡＣ  ＰＤＵサブヘッダーの構造についての例を示す。
【００８０】
ＭＡＣ  ＰＤＵサブヘッダーは、ＭＡＣ  ＰＤＵ内の最後のサブヘッダーと固定サイズのＭＡＣ制御要素を除き、６個のヘッダーフィールドＲ／Ｒ／Ｅ／ＬＣＩＤ／Ｆ／Ｌから構成される。ＭＡＣ  ＰＤＵ内の最後のサブヘッダーと固定サイズのＭＡＣ制御要素に対するサブヘッダーは４個のヘッダーフィールドＲ／Ｒ／Ｅ／ＬＣＩＤのみで構成される。パッディングに当たるＭＡＣ  ＰＤＵサブヘッダーは４個のヘッダーフィールドＲ／Ｒ／Ｅ／ＬＣＩＤからなる。
【００８１】
ＭＡＣヘッダーは可変サイズを有し、次のようなフィールドから構成される。
【００８２】
１）ＬＣＩＤ：論理チャネルＩＤフィールドは、ＤＬ−ＳＣＨ、ＵＬ−ＳＣＨ及びＭＣＨに対し、表１、２及び３に記述されたような該当ＭＡＣ  ＳＤＵの論理チャネルインスタンス又は該当ＭＡＣ制御要素又はパッディングのタイプを識別する。ＭＡＣ  ＰＤＵに含まれるそれぞれのＭＡＣ  ＳＤＵ、ＭＡＣ制御要素又はパッディングに対して一つのＬＣＩＤフィールドが存在する。これに加え、単一ビット又は２ビットパッディングが要求され得るがＭＡＣ  ＰＤＵの終端でのパッディングによって達成できない場合、一つ又は二つの付加的なＬＣＩＤフィールドがＭＡＣ  ＰＤＵに含まれる。カテゴリー０のＵＥはＬＣＩＤ“０１０１１”を使ってＣＣＣＨを示すとかＬＣＩＤ“０００００”を使ってＣＣＣＨを示す。ＬＣＩＤフィールドのサイズは５ビットである。
【００８３】
【表１】
0006595113.tif 000002
【００８４】
表１はＤＬ−ＳＣＨに対するＬＣＩＤ値を示す。
【００８５】
【表２】
0006595113.tif 000003
【００８６】
表２はＵＬ−ＳＣＨに対するＬＣＩＤ値を示す。
【００８７】
【表３】
0006595113.tif 000004
【００８８】
表３はＭＣＨに対するＬＣＩＤ値を示す。
【００８９】
２）Ｌ：長さフィールドは該当ＭＡＣ  ＳＤＵ又は可変長のＭＡＣ制御要素の長さをバイト単位で示す。最後のサブヘッダーと固定サイズのＭＡＣ制御要素に対応するサブヘッダーを除き、ＭＡＣ  ＰＤＵサブヘッダー当たり一つのＬフィールドが存在する。ＬフィールドのサイズはＦフィールドによって指示される。
【００９０】
３）Ｆ：フォーマットフィールドは表４に示したように長さフィールドのサイズを示す。最後のサブヘッダーと固定サイズのＭＡＣ制御要素に対応するサブヘッダーを除き、ＭＡＣ  ＰＤＵサブヘッダー当たり一つのＦフィールドが存在する。Ｆフィールドのサイズは１ビットである。ＭＡＣ  ＳＤＵ又は可変サイズのＭＡＣ制御要素のサイズが１２８バイト以下であれば、Ｆフィールドの値は０に設定され、そうではなければ１に設定される。
【００９１】
【表４】
0006595113.tif 000005
【００９２】
表４はＦフィールドの値を示す。
【００９３】
４）Ｅ：拡張フィールドはＭＡＣヘッダー内にフィールドがもっと存在するかを示すフラグである。Ｅフィールドが“１”に設定されれば、少なくともＲ／Ｒ／Ｅ／ＬＣＩＤフィールドのさらに他のセットを示す。Ｅフィールドが“０”に設定されれば、ＭＡＣ  ＳＤＵ、ＭＡＣ制御要素又はパッディングが次のバイトで始まることを示す。
【００９４】
５）Ｒ：留保したビットであって、“０”に設定される。
【００９５】
図１０はキャリア集成システムにおいて活性化／非活性化ＭＡＣ制御要素についての例を示すものである。
【００９６】
ＭＡＣ制御要素はＭＡＣ挙動についての制御情報を含む。バッファー状態報告ＭＡＣ制御要素、Ｃ−ＲＮＴＩ  ＭＡＣ制御要素、ＤＲＸ命令ＭＡＣ制御要素、ＵＥ競合解決アイデンティティーＭＡＣ制御要素（ＵＥ  ｃｏｎｔｅｎｔｉｏｎ  ｒｅｓｏｌｕｔｉｏｎ  ｉｄｅｎｔｉｔｙ  ＭＡＣ  ｃｏｎｔｒｏｌ  ｅｌｅｍｅｎｔ）、タイミングアドバンス命令ＭＡＣ制御要素、パワーヘッドルームレポートＭＡＣ制御要素、ＭＣＨスケジューリング情報ＭＡＣ制御要素、及び活性化／非活性化ＭＡＣ制御要素が存在する。
【００９７】
ＳＣｅｌｌの活性化／非活性化のために、一つのオクテット（ｏｃｔｅｔ）の活性化／非活性化ＭＡＣ制御要素が表１に明示したようなＬＣＩＤを有するＭＡＣ  ＰＤＵサブヘッダーによって識別される。この活性化／非活性化ＭＡＣ制御要素は固定サイズを有し、７個のＣフィールドと一つのＲフィールドを含む単一オクテットから構成される。一つのオクテットを有する活性化／非活性化ＭＡＣ制御要素は図１０のように定義される。
【００９８】
“Ｃｉフィールド”はＳＣｅｌｌＩｎｄｅｘ  ｉで構成されたＳＣｅｌｌが存在する場合、ＳＣｅｌｌＩｎｄｅｘ  ｉを有するＳＣｅｌｌの活性化／非活性化状態を示す。そうでなければ、ＭＡＣ個体はＣｉフィールドを無視する。Ｃｉフィールドが“１”に設定されれば、ＳＣｅｌｌＩｎｄｅｘ  ｉを有するＳＣｅｌｌが活性化することを示す。Ｃｉフィールドが“０”に設定されれば、ＳＣｅｌｌＩｎｄｅｘ  ｉを有するＳＣｅｌｌが非活性化することを示す。
【００９９】
Ｒｅｌ−１２まではＵＥに最大で５個のセルが構成されることができる。しかし、改善されたＲｅｌ−１３ＣＡにおいては最大で３２個のＣＣの集成が支援される。これは最大で３２個のサービングセルが構成されることができることを意味する。同じメカニズムによって図１０の活性化／非活性化ＭＡＣ  ＣＥを再使用するならば、最大で７個のＳＣｅｌｌが同時に活性化又は非活性化することができ、７個以上のＳＣｅｌｌＩｎｄｅｘで表現されるＳＣｅｌｌはレガシーフォーマットで示すことができない。すなわち、最大で３２個のＣＣのＣＡに対し、サービングセルインデックス値が不十分である。
【０１００】
一方、最大で３２個のＣＣのＣＡのために、活性化／非活性化ＭＡＣ  ＣＥに対するフォーマットが図１１に示したように導入される。
【０１０１】
図１１は最大で３２個のＣＣのＣＡのための活性化／非活性化ＭＡＣ制御要素に対する例示的なフォーマットを示すものである。
【０１０２】
図１１を参照すると、最大で３２個のＣＣを支援するために、Ａ／Ｄ  ＭＡＣ  ＣＥのサイズは４バイト増加する。これはＳＣｅｌｌＩｎｄｅｘ及びＳｅｒｖＣｅｌｌＩｎｄｅｘの範囲を増加したＣＣの数（すなわち、３２）によって拡張する最も簡単なオプションである。
【０１０３】
これは簡単な方法であるが、セルインデックスを拡張するためにＡ／Ｄ  ＭＡＣ  ＣＥにビットを追加することはシグナリングオーバーヘッドを増加させる。より具体的には、それぞれのＳＣｅｌｌが独立に活性化／非活性化するならば、図１１に示したＡ／Ｄ  ＭＡＣ  ＣＥがいくつのＳＣｅｌｌのみを活性化／非活性化するために送信される場合、シグナリングオーバーヘッドが増加する。したがって、シグナリングオーバーヘッドを考慮してＳＣｅｌｌを活性化／非活性化するメカニズムを開発する必要がある。
【０１０４】
本発明において、上述したようにシグナリングオーバーヘッドを減少させるため、ＵＥはセル上でＡ／Ｄ  ＭＡＣ  ＣＥを受信すれば、セルを活性化するとか非活性化する。セル上でＡ／Ｄ  ＭＡＣ  ＣＥを受信すれば、ＵＥは受信されたＡ／Ｄ  ＭＡＣ  ＣＥのＣｉフィールドの値によってＡ／Ｄ  ＭＡＣ  ＣＥを受信するセルを活性化又は非活性化する。より詳細な例を図１２〜１４に基づいて説明する。
【０１０５】
図１２は本発明の例示的な実施例によるＳＣｅｌｌの活性化／非活性化に関するＵＥ動作についての概念図である。
【０１０６】
本例示的な実施例において、ｅＮＢによってＵＥが少なくとも一つのＳＣｅｌｌで構成されると仮定する。
【０１０７】
ｉ）ＵＥがＡ／Ｄ  ＭＡＣ  ＣＥを受信するセルを活性化又は非活性化することを示す指示（ｉｎｄｉｃａｔｉｏｎ）を含むＲＲＣ信号をｅＮＢから受信するか、ｉｉ）ＵＥが特定の個数（例えば、７）以上のキャリアで構成されるか、ｉｉｉ）ＵＥが特定の値（例えば、８）以上のセルインデックス（例えば、ＳＣｅｌｌＩｎｄｅｘ）を有するセルで構成されるか、ｉｖ）ＵＥに対して構成されるセルのセルインデックス（例えば、ＳＣｅｌｌＩｎｄｅｘ）のうち最大のセルインデックスが特定の値（例えば、８）以上であるとき、ＵＥはｅＮＢによって構成されてＡ／Ｄ  ＭＡＣ  ＣＥを受信するセルを活性化又は非活性化することができる。
【０１０８】
一方、ｅＮＢがＵＥに対して構成されたセルを活性化又は非活性化することに決定すれば、ｅＮＢはＡ／Ｄ  ＭＡＣ  ＣＥのＣｉフィールドを設定してＡ／Ｄ  ＭＡＣ  ＣＥを送信する。より具体的には、ｅＮＢがセルを活性化することに決定すれば、ｅＮＢはＡ／Ｄ  ＭＡＣ  ＣＥのＣｉフィールドを“Ｘ”値（例えば、Ｘは１）に設定する。ｅＮＢがセルを非活性化することに決定すれば、ｅＮＢはＡ／Ｄ  ＭＡＣ  ＣＥのＣｉフィールドを“Ｙ”値（例えば、Ｙは０）に設定する。
【０１０９】
好ましくは、Ａ／Ｄ  ＭＡＣ  ＣＥを含むＭＡＣ  ＰＤＵに対応するＭＡＣサブヘッダーに対し、ｅＮＢはＬＣＩＤフィールドを１１０１１（すなわち、表１に示したような活性化／非活性化ＭＡＣ  ＣＥのＬＣＩＤ値）又は新しい値（例えば、表１に示したような現在留保した値である０１０１１）に設定する。
【０１１０】
ｅＮＢによってＵＥがＡ／Ｄ  ＭＡＣ  ＣＥを受信するセルを活性化又は非活性化するように構成されれば、ＵＥは次のような動作を行うことができる。
【０１１１】
まず、ＵＥがｅＮＢからＡ／Ｄ  ＭＡＣ  ＣＥを受信すれば、ＵＥはＡ／Ｄ  ＭＡＣ  ＣＥが受信されるセルを確認する。ＵＥが前記セル上での送信を示すＰＤＣＣＨを受信し、前記Ａ／Ｄ  ＭＡＣ  ＣＥが前記ＰＤＣＣＨによって指示されるＭＡＣ  ＰＤＵに含まれれば、ＵＥは前記Ａ／Ｄ  ＭＡＣ  ＣＥが前記セル上で受信されると見なす。前記セル上での送信を示すＰＤＣＣＨは前記Ａ／Ｄ  ＭＡＣ  ＣＥが受信されるセル、又は前記ＵＥに対して構成され、前記Ａ／Ｄ  ＭＡＣ  ＣＥが受信されるセルのスケジューリングセルに相当するセル上で受信されることができる。
【０１１２】
ＵＥは受信されたＡ／Ｄ  ＭＡＣ  ＣＥのＣｉフィールドを確認する。受信されたＡ／Ｄ  ＭＡＣ  ＣＥのＣｉフィールドが“Ｘ”（例えば、Ｘは１）であれば、ＵＥはＡ／Ｄ  ＭＡＣ  ＣＥを受信するセルを活性化する。受信されたＡ／Ｄ  ＭＡＣ  ＣＥのＣｉフィールドが“Ｙ”（例えば、Ｙは０）であれば、ＵＥはＡ／Ｄ  ＭＡＣ  ＣＥを受信するセルを非活性化する。
【０１１３】
図１２を参照すると、ＵＥは多数のセルのうち特定のセル上でＡ／Ｄ  ＭＡＣ  ＣＥを受信する（Ｓ１２０１）。この時、Ａ／Ｄ  ＭＡＣ  ＣＥのＣｉフィールドの全ての値は同じ値に設定され得る。例えば、Ｃｉフィールドの全ての値は“１”又は“０”に設定され得る。
【０１１４】
ＵＥはＭＡＣ  ＰＤＵが前記特定のセル上に送信されることを示すＰＤＣＣＨが受信され、前記Ａ／Ｄ  ＭＡＣ  ＣＥが前記ＭＡＣ  ＰＤＵに含まれれば、前記Ａ／Ｄ  ＭＡＣ  ＣＥが前記特定のセル上に送信されると見なす。
【０１１５】
いくつかの実施例において、ＵＥがＰＤＣＣＨを受信するセルは前記特定のセルと同一であるか、前記多数のセルのうち前記特定のセルをスケジュールするための他のセルであり得る。
【０１１６】
ＵＥは前記同じ値によって前記特定のセルの活性化又は非活性化を行う（Ｓ１２０３）。例えば、ＵＥは前記同じ値が“１”であれば、前記特定のセルを活性化することができる。前記同じ値が“０”であれば、ＵＥは前記特定のセルを非活性化することができる。
【０１１７】
好ましくは、ｉ）ＵＥがＡ／Ｄ  ＭＡＣ  ＣＥが受信されるセルを活性化又は非活性化することを指示する指示を受信するか、ｉｉ）前記多数のセルの数が特定値（例えば、７）以上であるか、ｉｉｉ）前記多数のセルが特定値（例えば、８）以上のセルインデックスを有するセルを含むか、ｉｖ）前記多数のセルのセルインデックスのうち最大のセルインデックスが前記特定値（例えば、８）以上であれば、ＵＥは前記同じ値によって前記特定のセルの活性化又は非活性化を行う。
【０１１８】
より詳細な例を図１３及び図１４に基づいて説明する。
【０１１９】
図１３は本発明の例示的な実施例によるＳＣｅｌｌの活性化／非活性化に関するＵＥ動作の一例を示す。
【０１２０】
図１３で、ＵＥに対してセル１とセル２が構成されると仮定する。この時、セル１とセル２はセルフスケジューリングセル（すなわち、ノンクロススケジューリングセル（ｎｏｎ−ｃｒｏｓｓ−ｓｃｈｅｄｕｌｉｎｇ  ｃｅｌｌ）である。すなわち、ＵＥはそれぞれのセル上でのＭＡＣ  ＰＤＵの送信のためにそれぞれのセル上でＰＤＣＣＨを受信する。また、Ｃｉフィールドの値“１”は活性化のためのものであり、“０”は非活性化のためのものであると仮定する。
【０１２１】
図１３を参照すると、ＵＥはセル１とセル２から構成され、セル２上でＰＤＣＣＨを受信する。セル２上のＰＤＣＣＨはセル２上での送信を示す。言い換えれば、ＰＤＣＣＨはＭＡＣ  ＰＤＵがｅＮＢによってセル２上で送信されることを示す。ＵＥはセル２上でＭＡＣ  ＰＤＵを受信する。ＰＤＣＣＨによって指示されるＭＡＣ  ＰＤＵはＡ／Ｄ  ＭＡＣ  ＣＥを含むことができる。本例示的な実施例において、受信されたＡ／Ｄ  ＭＡＣ  ＣＥのＣｉフィールドは“０”に設定される。ＵＥがセル２上でＡ／Ｄ  ＭＡＣ  ＣＥを受信するので、Ｃｉフィールドは“０”に設定され、ＵＥはセル２を非活性化する。
【０１２２】
図１４は本発明の例示的な実施例によるＳＣｅｌｌの活性化／非活性化に関するＵＥ動作の他の例を示す。
【０１２３】
図１４で、ＵＥに対してセル１とセル２が構成されると仮定する。この時、セル１はセル２のクロススケジューリングセルである。すなわち、ＵＥはセル２上での送信のためのＰＤＣＣＨをセル１上で受信する。また、Ｃｉフィールドの値“１”は活性化のためのものであり、“０”は非活性化のためのものであると仮定する。
【０１２４】
図１４を参照すると、ＵＥはセル１上でＰＤＣＣＨを受信する。ＰＤＣＣＨがセル２のクロススケジューリングセルであるので、セル１上のＰＤＣＣＨはセル２上でデータが送信されることを示す。ＰＤＣＣＨによって指示されるＭＡＣ  ＰＤＵはＡ／Ｄ  ＭＡＣ  ＣＥを含む。この場合、ＵＥはＡ／Ｄ  ＭＡＣ  ＣＥがセル２上で受信されると見なすことができる。
【０１２５】
本例示的な実施例において、受信されたＡ／Ｄ  ＭＡＣ  ＣＥのＣｉフィールドは“１”に設定される。ＵＥがセル２上でＡ／Ｄ  ＭＡＣ  ＣＥを受信するので、Ｃｉフィールドは“１”に設定され、ＵＥはセル２を活性化する。
【０１２６】
要約すれば、最大で３２個のセルを活性化／非活性化するために、Ａ／Ｄ  ＭＡＣ  ＣＥのＣｉフィールドの全ての値は同じ値に設定され、ＵＥは前記同じ値によってＡ／Ｄ  ＭＡＣ  ＣＥが受信される特定のセルの活性化又は非活性化を行う。したがって、本発明によれば、セルの活性化／非活性化によるシグナリングオーバーヘッドが減少し得る。
【０１２７】
以上で説明した本発明の実施例は本発明の構成要素と特徴が結合されたものである。各構成要素と特徴は他に言及がない限り選択的なものとして考慮される。各構成要素又は特徴は他の構成要素又は特徴と結合しない形態に実施されることができる。また、本発明の一実施例は一部構成要素及び／又は特徴と結合することによって構成されることができる。本発明の実施例で説明した動作手順は再配列されることができる。実施例の一部構成は他の実施例に含まれることができ、他の実施例の対応する構成に取り替えられることができる。特許請求範囲で明示上な引用関係にない請求項を結合して実施例を構成するとか出願後の補正によって新しい請求項として含ませることができるのは自明である。
【０１２８】
本発明の実施例において、基地局によって行われると説明した特定の動作は場合によってその上位ノードによって行われることができる。すなわち、基地局を含む複数のネットワークノードからなるネットワークで端末との通信のために行われる多様な動作は基地局又は基地局以外の他のネットワークノードによって行われることができるのは自明である。基地局は、固定局（ｆｉｘｅｄ  ｓｔａｔｉｏｎ）、Ｎｏｄｅ  Ｂ、ｅＮｏｄｅＢ（ｅＮＢ）、アクセスポイントなどの用語によって取り替えられることができる。
【０１２９】
上述した本発明の実施例は多様な手段、例えばファームウエア、ソフトウェア又はそれらの結合によって具現されることができる。
【０１３０】
ハードウェア構成において、本発明の実施例による方法は、一つ又はそれ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ）、プロセッサ、コントローラー、マイクロコントローラー、マイクロプロセッサによって具現されることができる。
【０１３１】
ファームウエア又はソフトウェアの構成において、本発明の実施例による方法は以上で説明した機能又は動作を行うモジュール、過程又は関数などの形態に具現されることができる。ソフトウェアコードはメモリユニットに保存され、プロセッサによって駆動されることができる。前記メモリユニットは前記プロセッサの内部又は外部に位置し、もう公知となった多様な手段によって前記プロセッサとデータをやり取りすることができる。
【０１３２】
本発明が属する技術分野の通常の知識を有する者は本発明がその技術的思想又は必須特徴を変更しなくて他の具体的な形態に実施されることができることを理解することができるであろう。したがって、以上で記述した実施例は全ての面で例示的なもので、限定的なものではないと理解しなければならない。本発明の範囲は前記詳細な説明よりは後述する特許請求の範囲によって決められ、特許請求の範囲の意味及び範囲かつその均等な概念から導出される全ての変更又は変形の形態が本発明の範囲に含まれるものとして解釈されなければならない。
【産業上の利用可能性】
【０１３３】
上述した方法は３ＧＰＰ  ＬＴＥシステムに適用される例を中心に説明したが、本発明は３ＧＰＰ  ＬＴＥシステム以外の多様な無線通信システムに適用可能である。
【図１】
0006595113.tif 000006
【図２Ａ】
0006595113.tif 000007
【図２Ｂ】
0006595113.tif 000008
【図３】
0006595113.tif 000009
【図４】
0006595113.tif 000010
【図５】
0006595113.tif 000011
【図６】
0006595113.tif 000012
【図７】
0006595113.tif 000013
【図８】
0006595113.tif 000014
【図９Ａ】
0006595113.tif 000015
【図９Ｂ】
0006595113.tif 000016
【図１０】
0006595113.tif 000017
【図１１】
0006595113.tif 000018
【図１２】
0006595113.tif 000019
【図１３】
0006595113.tif 000020
【図１４】
0006595113.tif 000021